(57)【要約】  本発明は、休止にされたままで、時間経過による容量の損失に見舞われている電池（２）の充電状態を管理するための方法に関し、管理方法は、規則的な時間インターバルで繰り返される以下のステップ：−  時間インターバル（Ｔ）の間に電池（２）によって見舞われた容量の損失（ΔＱｉ）を決定するステップ；−  電池（２）によって見舞れた容量の損失（ΔＱｉ）、所定の最小充電量（Ｑｍｉｎ）、および電池（２）の最大放電容量（Ｑｍａｘ＿ｉ）に基づいて充電状態の目標値（ＳＯＣｃｉｂｌｅ＿ｉ）を決定するステップであって、充電状態の目標値（ＳＯＣｃｉｂｌｅ＿ｉ）が厳密に１００％未満である、ステップ；−  電池（２）の充電状態を目標値（ＳＯＣｃｉｂｌｅ＿ｉ）に調節するステップを含むことによって特徴付けられる。
2021507666.tif 000002
【特許請求の範囲】
【請求項１】
休止にされたままで、時間と共に容量損失を被っている電池（２）の充電状態を管理するための方法（１００）であって、管理方法が、規則的な時間インターバルで繰り返される以下のステップ、
時間インターバル（Ｔ）の間に電池（２）によって被られた容量損失（ΔＱｉ）を決定するステップ（１１０）、
電池（２）により被られた容量損失（ΔＱｉ）、所定の最小の充電量（Ｑｍｉｎ）、および電池（２）の最大放電容量（Ｑｍａｘ＿ｉ）から、充電状態の目標値（ＳＯＣｃｉｂｌｅ＿ｉ）を決定するステップ（１２０）であって、充電状態の目標値（ＳＯＣｃｉｂｌｅ＿ｉ）が厳密に１００％未満である、ステップ、
電池（２）の充電状態を目標値（ＳＯＣｃｉｂｌｅ＿ｉ）に調節するステップ（１３０）
を含むことを特徴とする、管理方法（１００）。
【請求項２】
電池（２）により被られた容量損失（ΔＱｉ）が、充電状態の先行する目標値（ＳＯＣｃｉｂｌｅ＿ｉ−１）と、電池（２）に存在する残余の充電の量
【数１】
2021507666.tif 000020
とから決定されることを特徴とする、請求項１に記載の管理方法（１００）。
【請求項３】
電池（２）により被られた容量損失（ΔＱｉ）を決定するステップ（１１０）が以下のサブステップ、
最大放電容量の現在の値（Ｑｍａｘ＿ｉ）および最大放電容量の先行する値（Ｑｍａｘ＿ｉ−１）から、不可逆的な容量損失（ΔＱＩｒｒ＿ｉ）を決定するサブステップ（１１１）と、
充電状態の先行する目標値（ＳＯＣｃｉｂｌｅ＿ｉ−１）、電池（２）に存在する残余の充電の量
【数２】
2021507666.tif 000021
、および不可逆的な容量損失（ΔＱＩｒｒ＿ｉ）から、可逆的な容量損失
【数３】
2021507666.tif 000022
を決定するサブステップ（１１２）と
を含むことを特徴とする、請求項２に記載の管理方法（１００）。
【請求項４】
電池（２）に存在する残余の充電の量
【数４】
2021507666.tif 000023
が容量試験の第１の動作中に測定され、電池（２）の最大放電容量（Ｑｍａｘ＿ｉ）が容量試験の第２の動作中に測定されることを特徴とする、請求項２または３に記載の管理方法（１００）。
【請求項５】
容量試験が、電池（２）の第１の完全な放電フェーズ、電池（２）の完全な充電フェーズ、および電池（２）の第２の完全な放電フェーズを連続的に含み、電池（２）に存在する残余の充電の量
【数５】
2021507666.tif 000024
が電池（２）の第１の完全な放電フェーズ中に測定され、電池（２）の最大放電容量（Ｑｍａｘ＿ｉ）が電池（２）の第２の完全な放電フェーズ中に測定されることを特徴とする、請求項４に記載の管理方法（１００）。
【請求項６】
電池（２）が実質的に１００％に達するファラデー効率を有し、容量試験が、電池（２）の完全な放電フェーズおよび電池（２）の完全な充電フェーズを連続的に含み、電池（２）に存在する残余の充電の量
【数６】
2021507666.tif 000025
が電池（２）の完全な放電フェーズ中に測定され、電池（２）の最大放電容量（Ｑｍａｘ＿ｉ）が電池（２）の完全な充電フェーズ中に測定されることを特徴とする、請求項４に記載の管理方法（１００）。
【請求項７】
管理方法は、電池（２）が充電状態の目標値（ＳＯＣｃｉｂｌｅ＿ｉ）に対応する目標の充電量（Ｑｃｉｂｌｅ）以上の最大放電容量（Ｑｍａｘ＿ｉ）を有するかを検証することから成るステップ（１４０）をさらに含むことを特徴とする、請求項１から６のいずれか一項に記載の管理方法（１００）。
【請求項８】
充電状態の目標値（ＳＯＣｃｉｂｌｅ＿ｉ）が、電池（２）の最大放電容量（Ｑｍａｘ＿ｉ）で割られた、電池（２）により被られた容量損失（ΔＱｉ）と所定の最小の充電量（Ｑｍｉｎ）との和に等しいことを特徴とする、請求項１から７のいずれか一項に記載の管理方法（１００）。
【請求項９】
電池（２）により被られた容量損失（ΔＱｉ）は、電池（２）により送られた消費電流にその第１の部分が起因する可逆的な損失を含み、可逆的な損失の第１の部分が、充電状態の調節の２つの連続するステップ（１３０）の間で補償されることを特徴とする、請求項１から８のいずれか一項に記載の管理方法（１００）。
【請求項１０】
可逆的な損失の第１の部分の補償が、容量損失を決定するステップ（１１０）の間に考慮されることを特徴とする、請求項９に記載の管理方法（１００）。
【請求項１１】
管理方法が、電池（２）の動作温度を測定するステップをさらに含み、電池（２）の瞬間的な放電容量が電池（２）の動作温度に応じて決定されることを特徴とする、請求項１から１０のいずれか一項に記載の管理方法（１００）。
【請求項１２】
充電状態の目標値（ＳＯＣｃｉｂｌｅ＿ｉ）が、瞬間的な放電容量に応じて修正されることを特徴とする、請求項１１に記載の管理方法（１００）。
【発明の詳細な説明】
【技術分野】
【０００１】
本発明は、休止にされたままの電池の充電状態を管理するための方法に関する。
【背景技術】
【０００２】
ＵＰＳとも呼ばれる無停電電源は、充電の主電源が故障したときにこの充電に電気エネルギーを供給する機能を有するデバイスである。このようなデバイスは、例えば、再充電可能な電池に蓄えられた電気エネルギーを供給することにより停電に対する保護を作る。
【０００３】
このタイプの用途では、電池は、「非サイクル」動作を有し、すなわち、長い期間にわたり充電されることも放電されることもない。電池は、休止にされたままである。しかしながら、停電が生じた場合には、電池がある時間にわたり引き継ぐことになっている。
【０００４】
電池は、一般にフル充電に維持される。しかし、この動作方法が、早すぎる経時劣化と、したがって電池の容量の低下を引き起こす結果になることが知られている。したがって、デバイスがその役割を常に保証できるように電池を交換しなければならないことが、しばしば必要になる。
【０００５】
他にも、文書米国特許出願公開第２００４／００６６１７１（Ａ１）号は、デバイスのユーザの予定に応じて、移動電話、携帯型コンピュータまたはディジタルカメラなどのモバイルデバイスを装備している電池の充電状態を調節するための方法を説明している。特に、電池は、高いレベルの自律性が予見されるときには完全に充電される。逆に、デバイスを外部の電源に接続することが予見されるときには、電池は、低い充電状態に置かれる。
【先行技術文献】
【特許文献】
【０００６】
【特許文献１】米国特許出願公開第２００４／００６６１７１号明細書
【発明の概要】
【発明が解決しようとする課題】
【０００７】
電池の経時劣化を制限しながら電池に割り当てられた機能を電池が果たすことができるように、電池の充電を最適化することを可能にする方法を有する必要性が存在することが、前述から明らかである。
【課題を解決するための手段】
【０００８】
本発明は、休止にされたままで、時間と共に容量損失を被っている電池の充電状態を管理するための方法を提案することによってこの必要性に応じることを目的とし、管理方法は、規則的な時間インターバルで繰り返される以下のステップ：
−  時間インターバルの間に電池によって被られた容量損失を決定するステップ；
−  電池により被られた容量損失、所定の最小の充電量、および電池の最大放電容量から、充電状態の目標値を決定するステップであって、充電状態の目標値が厳密に１００％未満である、ステップ；
−  電池の充電状態を目標値に調節するステップ
を含む。
【０００９】
発明の方法によって、電池は、所定の持続期間にわたりある種の機能を実行すること、およびフル充電に維持されていない間に電池の寿命を延ばすことの両方を電池に可能にさせる充電レベルを有する。
【００１０】
発明による管理方法はまた、以下の個別に考えられるものの中の、または発明のすべての技術的に可能な組み合わせにしたがった、１つ以上の特性も含むことができる。
【００１１】
一実施形態によれば、電池により被られた容量損失が、充電状態の先行する目標値および電池に存在する残余の充電の量から決定される。
【００１２】
一実施形態によれば、電池により被られた容量損失を決定するステップが、以下のサブステップ：
−  最大放電容量の現在の値および最大放電容量の先行する値から、不可逆的な容量損失を決定するサブステップと；
−  充電状態の先行する目標値、電池に存在する残余の充電の量、および不可逆的な容量損失から、可逆的な容量損失を決定するサブステップと
を含む。
【００１３】
一実施形態によれば、電池に存在する残余の充電の量が容量試験の第１の動作中に測定され、電池の最大放電容量が容量試験の第２の動作中に測定される。
【００１４】
一実施形態によれば、容量試験が、電池の第１の完全な放電フェーズ、電池の完全な充電フェーズ、および電池の第２の完全な放電フェーズを連続的に含み、電池に存在する残余の充電の量が電池の第１の完全な放電フェーズ中に測定され、電池の最大放電容量が電池の第２の完全な放電フェーズ中に測定される。
【００１５】
代替の実施形態によれば、電池が実質的に１００％に達するファラデー効率を有し、容量試験が、電池の完全な放電フェーズおよび電池の完全な充電フェーズを連続的に含み、電池に存在する残余の充電の量が電池の完全な放電フェーズ中に測定され、電池の最大放電容量が電池の完全な充電フェーズ中に測定される。
【００１６】
一実施形態によれば、管理方法は、電池が充電状態の目標値に対応する目標の充電量以上の最大放電容量を有するかを検証することから成るステップをさらに含む。
【００１７】
一実施形態によれば、充電状態の目標値が、電池の最大放電容量で割られた、電池により被られた容量損失と所定の最小の充電量との和に等しい。
【００１８】
一実施形態によれば、容量損失は、電池により送られた消費電流にその第１の部分が起因する可逆的な損失を含み、可逆的な損失の第１の部分が、充電状態の調節の２つの連続するステップの間で補償される。
【００１９】
一実施形態によれば、可逆的な損失の第１の部分の補償が、容量損失を決定するステップ中に考慮される。
【００２０】
一実施形態によれば、管理方法が、電池の動作温度を測定するステップをさらに含み、電池の瞬間的な放電容量が電池の動作温度に応じて決定される。
【００２１】
一実施形態によれば、充電状態の目標値が瞬間的な放電容量に応じて修正される。
【００２２】
発明およびその様々な用途は、以下の説明を読み、添付の図を考察することによってより良く理解されるだろう。
【図面の簡単な説明】
【００２３】
【図１】本発明の一実施形態による、電池の充電状態を管理するための方法の機能的表現図である。
【図２】図１の方法の異なるステップの過程における電池の状態を模式的に表示する図である。
【発明を実施するための形態】
【００２４】
図は、説明目的のために提示されるに過ぎず、発明を限定するものではない。
【００２５】
より明確にするために、同一の要素または類似の要素は、図のすべてにおいて同一の参照符号によって示される。
【００２６】
電池は、２つのパラメータ、すなわち、ＳＯＨとも呼ばれる健康状態（ｓｔａｔｅ  ｏｆ  ｈｅａｌｔｈ）と、ＳＯＣとも呼ばれる充電状態とによって特に特徴づけられ得る、電気エネルギーを蓄えるためのデバイスである。
【００２７】
健康状態は、パーセントで表現され、電池の最大放電容量Ｑｍａｘと公称容量Ｑ０との間の比率に対応する。最大放電容量Ｑｍａｘは、電池が完全に充電されたときに電池が供給できる充電量を表す。公称容量Ｑ０は、電池の最初の、すなわち電池が新しいときの最大放電容量である。最大放電容量が公称容量に近いほど、電池の健康状態が良い。
【００２８】
充電状態は、パーセントで表現され、所与の瞬間ｔにおいて電池に蓄えられた充電量Ｑ（ｔ）と（この瞬間における）電池の最大放電容量Ｑｍａｘとの間の比率に対応する。
【００２９】
次いで、発明による電池２の充電状態を管理するための方法１００の実施形態が、図１および図２を参照して説明される。
【００３０】
発明のコンテキストでは、電池２は、特に非ゼロの充電状態で、長い期間にわたって休止にされたままである。言い換えると、この期間中には、電池２は、電気エネルギーを供給するために使用されない。しかしながら、電池２は、電気デバイスがある時間にわたって機能を実行することを可能にするために、所定の量の電気エネルギーを送ることが意図される。例えば、電池を装備した電気デバイスは、ＵＳＰとも呼ばれる、主電力供給システムの故障の場合に電力を送ることから成る無停電電源であってもよい。もう１つの例は、非常口を指示するために停電の場合に照明システムに給電することから成る、内蔵型の非常用照明ユニット（ＳＥＬＵ）の電池のそれである。例として、ここでも非限定的な例として、時には長期間にわたり使用されないが、早急に必要な場合にバックアップを提供するために非ゼロの充電状態で都合よく保存されることがある、電動自転車または代わりに電動工具の電池の場合に言及することも可能である。
【００３１】
「長い持続期間」は、電池２が、定量化され得る容量損失を被る過程の持続期間を意味するように解釈され、容量損失は、例えば電池２の充電状態の１％よりも大きい。容量損失が、電池２の保管状態、特に電池２の温度、充電状態、および健康状態に依存することに留意すべきである。
【００３２】
用途のタイプに応じて、電池２は、リチウム−イオン（Ｌｉ−イオン）電池、ニッケル−金属水素化物（ＮｉＭＨ）電池、鉛電池、ナトリウム−イオン電池、ナトリウム−ニッケル塩化物電池、またはいずれかの他の適切な電池であってもよい。
【００３３】
管理方法１００は、電池２により被られた容量損失ΔＱｉを決定する第１のステップ１１０と、とりわけ電池２によって被られた容量損失ΔＱｉに応じて、電池２の充電状態の目標値ＳＯＣｃｉｂｌｅ＿ｉを決定する第２のステップ１２０と、電池２の充電状態を目標値ＳＯＣｃｉｂｌｅ＿ｉに調節する第３のステップ１３０とを含む。充電状態の目標値ＳＯＣｃｉｂｌｅ＿ｉは、厳密に１００％未満である。
【００３４】
管理方法１００のステップ１１０、１２０および１３０は、規則的なインターバルで、言い換えると、周期的に繰り返される。したがって、本発明によって、電池２の充電は規則的に、所定の持続期間にわたり電気デバイスの機能を実行することを可能にするのに十分なレベルに置かれるが、このレベルはフル充電レベル（ＳＯＣ＝１００％）よりも低い。電池２は、したがってそのフル充電において恒久的には維持されず、これが電池の寿命を延ばす。
【００３５】
管理方法１００のステップ１１０、１２０および１３０の繰返しの周期Ｔ、すなわち、ステップ１１０、１２０および１３０の２つの連続する繰返しの間の時間周期のオーダーの考えを与えるために、電池の状態がほぼ３か月毎に検証される内蔵型の非常照明ユニット（ＳＥＬＵ）の例に言及することができる。Ｔ＝３か月のこの値が、指針的な目的で与えられること、およびステップ１１０、１２０および１３０が繰り返される周期Ｔが発明の実装のコンテキストに適応する任意の値を取ってもよいことが明確に理解される。
【００３６】
容量損失は、２つのカテゴリ、すなわち、不可逆的な損失および可逆的な損失に分類され得る。
【００３７】
不可逆的な容量損失は、電池２の最大放電容量の減少に対応する。言い換えると、不可逆的な容量損失は、電池２を再充電することによっては回復され得ない決定的な自律的損失である。不可逆的な損失は、電池２の経時劣化に起因するものであり、不可逆的な損失は、電池２の健康状態のパラメータを通してモニタされ得る。
【００３８】
逆に、可逆的な容量損失は、電池２に蓄えられた充電量の減少に対応する。可逆的な損失は、したがって、電池２を再充電することにより回復され得る。可逆的な損失は、電池２の充電状態のパラメータを通してモニタされることがある。可逆的な損失は、「自己放電」と呼ばれる第１の部分と、電池２から引き出された消費に対応する第２の部分とを含む。
【００３９】
自己放電は、後者が引き出されていないときでさえ、電池２の充電状態の減少につながる寄生電気化学反応に起因するものである。自己放電はまた、製造上の欠陥および／または電解質の電子伝導性に起因する１つの電極から他への電子の移動によって引き起こされることもある。
【００４０】
自己放電値は、電池２の充電状態および温度に依存する。例として、３０℃の温度におけるリチウム−イオン電池の充電状態は、最初の充電状態が３０％から４０％、それぞれ１００％のオーダーであるときに、月当たり、おおよそ４％、それぞれ８％だけ減少する。リチウム−イオン電池の温度が４５℃であるときには、充電状態の減少は、３０％から４０％、それぞれ１００％のオーダーの最初の充電状態について、おおよそ８％、それぞれ２５％になる。
【００４１】
電池２から引き出された消費は、漏れ電流に、電池管理システム（ＢＭＳ）とも呼ばれる、電池２を電子的に管理するためのデバイスに供給する電流に、および／または電池２の熱管理のコンテキストで使用される電流に起因することがある。熱管理は、電池の経時劣化を制限することを目的として電池を冷却することまたは加熱することからなる。
【００４２】
（全）容量損失ΔＱｉは、最後の経過時間周期Ｔ中に、言い換えると、ステップ１１０からステップ１３０までの最後の繰返しから、または時間周期がステップ１１０からステップ１３０の最初の繰返しを含むときには開始（すなわち、電池の最初のコミッショニング（ｃｏｍｍｉｓｓｉｏｎｉｎｇ））から、電池２によって被られた可逆的な容量損失
【数１】
2021507666.tif 000003
と不可逆的な容量損失ΔＱＩｒｒ＿ｉとの和：
【数２】
2021507666.tif 000004
に等しく、ここで、ｉは進行中の繰返しを指定する厳密に正の整数である。
【００４３】
（全）容量損失ΔＱｉは、以下の式：
【数３】
2021507666.tif 000005
を使用して計算され得、ここで、
【数４】
2021507666.tif 000006
は、インデックスｉのステップ１１０の開始時に電池２に蓄えられている残余の充電の量であり、Ｑｃｉｂｌｅ＿ｉ−１は、充電状態の最後のレベリング中に、すなわち、ステップ１１０からステップ１３０の前回の繰返しｉ−１中に定義された、充電状態の目標値ＳＯＣｃｉｂｌｅ＿ｉ−１に対応する目標の充電量である。ステップ１１０からステップ１３０の最初の繰返し（ｉ＝１）に関して、目標の充電量Ｑｃｉｂｌｅ＿０は、例えば、所定の持続期間にわたる電気デバイスの動作のために必要な最小の充電量の１１０％に等しく選択され、最小の充電量は以降Ｑｍｉｎと呼ばれる（Ｑｃｉｂｌｅ＿０＝１．１＊Ｑｍｉｎ）。
【００４４】
管理方法１００の好適な実施形態では、電池２の可逆的な容量損失を不可逆的な容量損失から区別することが求められる。管理方法１００の第１のステップ１１０は、その場合、最後の経過時間周期Ｔの間に電池２により被られた不可逆的な容量損失ΔＱＩｒｒ＿ｉを決定する第１のサブステップ１１１を含む。
【００４５】
インデックスｉ−１のステップ１１０とインデックスｉのステップ１１０との間に電池２により被られた不可逆的な容量損失ΔＱＩｒｒ＿ｉは、以下の式：
ΔＱＩｒｒ＿ｉ＝Ｑｍａｘ＿ｉ−１−Ｑｍａｘ＿ｉ
を使用して計算され得、ここで、Ｑｍａｘ＿ｉ−１はインデックスｉ−１のステップ１１０の間の電池２の最大放電容量であり、Ｑｍａｘ＿ｉはインデックスｉのステップ１１０の間の電池２の最大放電容量である。ステップ１１０からステップ１３０の最初の繰返し（ｉ＝１）の間は、電池２の最大放電容量Ｑｍａｘ＿０が、電池の公称容量Ｑ０に等しい。
【００４６】
この同じ好適な実施形態では、管理方法１００の第１のステップ１１０は、最後の経過時間周期Ｔの間に電池２により被られた可逆的な容量損失
【数５】
2021507666.tif 000007
を決定する第２のサブステップ１１２を含む。
【００４７】
インデックスｉ−１のステップ１１０とインデックスｉのステップ１１０との間に電池２により被られた可逆的な容量損失
【数６】
2021507666.tif 000008
は、以下の式：
【数７】
2021507666.tif 000009
を使用して計算され得る。
【００４８】
残余の充電の量
【数８】
2021507666.tif 000010
は、好ましくは容量試験の最初の動作中に測定される。この容量試験は、例えば、第１の完全な放電フェーズを含み、その後に完全な充電フェーズおよび第２の完全な放電フェーズが続く。残余の充電の量
【数９】
2021507666.tif 000011
は、例えば、容量試験の第１の完全な放電フェーズ中に電池２により供給される電流を積分することによって測定される。
【００４９】
最大放電容量Ｑｍａｘ＿ｉは好ましくは、例えば、第２の完全な放電フェーズの過程で電池２により供給される電流を積分することによって、容量試験の第２の動作中に測定される。
【００５０】
もう１つの実施形態によれば、電池２が１００％に実質的に等しいファラデー効率を有するときには、電池２の最大放電容量Ｑｍａｘ＿ｉは、残余の充電の量
【数１０】
2021507666.tif 000012
を測定することを可能にする第１の完全な放電フェーズに続く、完全な充電フェーズの間に直接測定されることがある。したがって、最大放電容量Ｑｍａｘ＿ｉの測定が、より迅速に実施され、これは電池２が自身の機能を保証しなくなる時間を短縮する。
【００５１】
明細書全体を通しておよび特許請求の範囲では、「１００％に実質的に等しいファラデー効率」は、９９％以上のファラデー効率を意味するものと解釈される。この場合では、電池２に充電された充電量は、送られた充電量に等価であると考えられる。これは、例えばリチウム−イオン電池についての場合である。
【００５２】
目標値ＳＯＣｃｉｂｌｅ＿ｉは、電池２が、電池２に関連付けられた電気デバイスの機能を所望の持続期間にわたって実行するために必要な最小の充電量Ｑｍｉｎ以上の充電量を、時間周期Ｔの終わりに（すなわち、充電状態の新たなレベリングの直前に）備えるような方法で定義される。充電状態の目標値ＳＯＣｃｉｂｌｅ＿ｉは、電池２の最大放電容量Ｑｍａｘ＿ｉ、ステップ１１０において決定された（全）容量損失ΔＱｉ、および最小の充電量Ｑｍｉｎから、ステップ１２０の間に決定される。具体的には、充電状態の目標値ＳＯＣｃｉｂｌｅ＿ｉは、最大放電容量Ｑｍａｘ＿ｉおよび容量損失ΔＱｉと最小の充電量Ｑｍｉｎとの和から決定される。
【００５３】
充電状態の目標値ＳＯＣｃｉｂｌｅ＿ｉは好ましくは、最大放電容量Ｑｍａｘ＿ｉで割られた、容量損失ΔＱｉと最小の充電量Ｑｍｉｎとの和：
【数１１】
2021507666.tif 000013
に等しい。
【００５４】
代替の実施形態では、目標の充電量Ｑｃｉｂｌｅが、容量損失ΔＱｉと最小の充電量Ｑｍｉｎとの和よりも大きくなるように定義される。言い換えると、目標の充電量Ｑｃｉｂｌｅの計算中に安全マージンＭが提供される。したがって、電池２がその役割を果たすことが依然として可能であることを保証することが可能である。目標の充電量Ｑｃｉｂｌｅは、例えば、最小の充電量Ｑｍｉｎと容量損失ΔＱｉとの和の１１０％と１５０％との間に含まれる。
【００５５】
【数１２】
2021507666.tif 000014
ここで、Ｍは、１１０％と１５０％との間に含まれるマージン係数である。
【００５６】
最小の充電量Ｑｍｉｎは、好ましくは、管理方法１００のステップ１１０からステップ１３０の１回の繰返しから他の繰り返しにわたって一定である。
【００５７】
管理方法１００は、したがって、ステップ１１０からステップ１３０の繰返しｉとｉ＋１との間に位置する時間インターバルＴの間に電池２によって被られた損失（可逆的および不可逆的）が、ステップ１１０からステップ１３０の繰返しｉ−１とｉとの間に位置する時間インターバルＴの間に電池２によって被られた損失以下であろうという前提に基づく。
【００５８】
容量損失は時間と共に減少する傾向を有するので、目標の充電量Ｑｃｉｂｌｅ＿ｉは、最小の充電量Ｑｍｉｎに漸進的に近づき、これが電池の寿命をさらに向上させる。
【００５９】
目標値ＳＯＣｃｉｂｌｅ＿ｉへの電池２の充電状態の調節（管理方法１００の第３のステップ１３０）は、容量試験が完全な放電フェーズで終わるときには電池２を充電することによって、または容量試験が完全な充電フェーズで終わるときには電池２を放電することによってのいずれかで実施される。充電または放電は、充電状態の目標値ＳＯＣｃｉｂｌｅ＿ｉに対応する目標の充電量Ｑｃｉｂｌｅ＿ｉに達するまで、好ましくは一定電流で、実施される。充電された量（Ｑｃｉｂｌｅ＿ｉ）、それぞれ放電された量（Ｑｍａｘ＿ｉ−Ｑｃｉｂｌｅ＿ｉ）は、充電電流、それぞれ放電電流を積分することにより測定される。
【００６０】
有利には、管理方法１００は、目標の充電量Ｑｃｉｂｌｅ＿ｉを蓄えるための電池２の適性を検証する第４のステップ１４０を含む。言い換えると、電池２の公称容量Ｑ０から不可逆的な容量損失のすべて（すなわち、開始から）を引いた最大放電容量Ｑｍａｘ＿ｉが目標の充電量Ｑｃｉｂｌｅ＿ｉ以上であるかが検証される。そうでなければ、電池２は交換される必要がある。このステップは、以下の式：
【数１３】
2021507666.tif 000015
により定義され得る電池２の健康状態ＳＯＨｉをモニタすることと等価である。
【００６１】
この検証の第４のステップ１４０は、好ましくは、管理方法１００の第２のステップ１２０（ＳＯＣｃｉｂｌｅ＿ｉの決定）と第３のステップ１３０（充電状態のレベリング）との間で成し遂げられる。有利には、この検証の第４のステップ１４０はまた、規則的に、好ましくは管理方法１００の第１、第２および第３のステップ１１０、１２０、１３０と同じ周期Ｔで、実施される。
【００６２】
前に説明されたように、容量損失は、電池２により供給される消費電流にリンクされた一部分を含む。電池２が熱的に管理されていないとき、消費電流は一定と考えられてよい。この場合では、この消費電流Ｉｃｏｎｓｏにリンクされた容量損失の部分
【数１４】
2021507666.tif 000016
は、時間ｔと共に線形の振る舞いを有し、以下の式：
【数１５】
2021507666.tif 000017
により定義され得る。
【００６３】
有利には、消費に起因する容量損失
【数１６】
2021507666.tif 000018
は、充電状態の調節の２つの連続するステップ１３０の間に補償されることがある。したがって、電池２が蓄えなくてはならない最小の充電量Ｑｍｉｎの値に目標の充電量Ｑｃｉｂｌｅの値が近づくように、目標の充電量Ｑｃｉｂｌｅの値を減少させることが可能である。これが、電池２の充電状態の管理をさらに最適化することを可能にする。
【００６４】
実際には、消費にリンクされた容量損失
【数１７】
2021507666.tif 000019
は、一般に比較的小さく、消費電流Ｉｃｏｎｓｏはマイクロ−アンペアのオーダーである。したがって、消費電流Ｉｃｏｎｓｏに実質的に等しいはずの一定の充電電流によってこれらの容量損失を補償することは困難であることがある。この場合では、このような損失の補償は、アドホックベースに、そして充電状態の調節の２つの連続するステップ１３０の間のいくつかの段階で実施されてもよい。すると、充電電流は、より大きくなり、したがってより容易に電池２に供給することができる。
【００６５】
有利には、目標値ＳＯＣｃｉｂｌｅ＿ｉに充電状態を調節するステップ１３０の間に行われる電池２の充電状態の修正は、容量損失の計算を変えないような方法で徐々に組み入れられる。
【００６６】
代替の実施形態によれば、電池が停止しているときの電池２の動作温度が測定される。したがって、例えば、放電電流と温度に応じて電池２の容量を与えるアバカス（ａｂａｃｕｓ）から、電池２の瞬間的な容量を決定することが可能である。充電状態の目標値ＳＯＣｃｉｂｌｅ＿ｉは、その場合、電池２の機能が常に保証されるようにこの瞬間的な容量の値に応じて修正されることがある。例として、これは、動作温度が低下するときには電池２を再充電すること、および動作温度が上昇するときには電池を放電することから成る。
【００６７】
当然、発明は、図を参照して説明された実施形態に限定されず、代替形態が発明の範囲を超えることなく構想され得る。
【図１】
2021507666.tif 000026
【図２】
2021507666.tif 000027
【国際調査報告】
2021507666.tif 000028
2021507666.tif 000029
2021507666.tif 000030
2021507666.tif 000031